(57)【要約】【課題】ペルチエ素子を利用する電子冷暖房服において、身体に接触する部分の温度差を少なくし、簡易な構成で運動性・作業性の良い冷暖房服を提供する。【解決手段】着用可能な衣服部２と、衣服部２の内側に装着され、熱媒体６を封入する熱媒体収容袋５と、熱媒体収容袋５の衣服部２に接触する側に装着されるペルチエ素子１とを備え、衣服部２はペルチエ素子１に電流を供給するための電源を収容する電源収容部４を有し、熱媒体収容袋５には熱媒体６を循環させる流路５３が設けられ、ペルチエ素子１により冷却又は加熱された熱媒体６が流路５３を循環しつつ、熱媒体収容袋５を介して身体に熱を伝達可能である。【選択図】図１
2008025052.tif 000002
【特許請求の範囲】
【請求項１】
着用可能な衣服部と、
前記衣服部の内側に装着され、熱媒体を封入する熱媒体収容袋と、
前記熱媒体収容袋の前記衣服部に接触する側に装着されるペルチエ素子とを備え；  
前記衣服部は前記ペルチエ素子に電流を供給するための電源を収容する電源収容部を有し、
前記熱媒体収容袋には前記熱媒体を循環させる流路が設けられ、
前記ペルチエ素子により冷却又は加熱された熱媒体が前記流路を自然対流により循環しつつ、前記熱媒体収容袋を介して身体に熱を伝達可能である；
電子冷暖房服。
【請求項２】
前記熱媒体として、水、エチルアルコール又はその混合液を用いる；
請求項１に記載の電子冷暖房服。
【請求項３】
前記熱媒体収容袋の内側又は外側の前記ペルチエ素子に接触する部分にグラファイト製シートを有する；
請求項１に記載の電子冷暖房服。
【請求項４】
体温測定用の温度センサと；
目標温度を設定し、前記温度センサで計測された体温と前記目標温度との差異に基づいてペルチエ素子を制御する温度コントローラとを着脱可能に備える；
請求項１乃至請求項３のいずれか１項に記載の電子冷暖房服。
【請求項５】
着用可能な衣服部の内側に装着され、熱媒体を封入する熱媒体収容袋であって、
前記衣服部に接触する側にペルチエ素子を装着し、
前記熱媒体を循環させる流路が設けられ、
前記ペルチエ素子により冷却又は加熱された熱媒体を前記流路に自動的に循環させることにより、身体に熱を伝達可能である；
熱媒体収容袋。
【発明の詳細な説明】
【技術分野】
【０００１】
本発明は電子冷暖房服に関する。詳しくはペルチエ素子を利用する電子冷暖房服に関する。
【背景技術】
【０００２】
従来から製鉄所、造船所など外気温度の高い環境下で利用されている冷房服や、無汗症の患者の体を冷やすための冷房服が存在する。これらは胸部、背部などに接触する専用のポケットに、前以て冷やしておいた保冷材を保持することにより、着用した人の体温上昇を抑えるようにしたものである。逆に、冷凍倉庫や寒冷な屋外等、外気温度の低い環境下で利用される暖房服としては、腹部や腰部などに接触する専用のポケットに加温材を保持することにより、着用した人の体温低化を抑えるようにしたものがある。また、ヒートパイプとポンプを用いて熱媒体を強制的に循環させる冷房服等が提案されている。（特許文献１参照）
【０００３】
また、ペルチェ素子を冷暖房服の被服地に埋設し、ペルチエ効果を利用して冷暖房するものが提案されている。（特許文献２参照）
【０００４】
【特許文献１】特開平６−９２２９５号公報（段落００１１〜００３０、図１〜５）
【特許文献２】特開２００４−２６３３２５号公報（段落００１６〜００２６、図１〜４）
【発明の開示】
【発明が解決しようとする課題】
【０００５】
しかしながら、従来の冷暖房服では、保冷材や加温材を収納している部分とそうでない部分との温度差が大きく、身体全体あるいは特定の部位を中心に穏やかな温度勾配で冷却あるいは加温することが困難であるという問題があった。また、ヒートパイプとポンプを用いて熱を強制的に循環させるものでは、ヒートパイプ等を衣服に装着することにより構成が複雑になると共に、衣服の厚みや重量が増加し、これを着用すると運動性・作業性が低下するという問題があった。
【０００６】
ペルチェ素子を利用する電子冷暖房服についても、素子を局在箇所に装着又は埋設すると、身体に接触する部分とそうでない部分の温度差が大きくなるので、不快に感じるばかりでなく、長く着用すると身体に変調をきたす恐れもあるという問題があった。
【０００７】
本発明は、ペルチェ素子を利用する電子冷暖房服において、身体に接触する部分の温度差を少なくし、簡易な構成で運動性・作業性の良い冷暖房服を提供することを目的とする。
【課題を解決するための手段】
【０００８】
上記課題を解決するために、請求項１に記載の電子冷暖房服は、例えば図１及び図２に示すように、着用可能な衣服部２と、衣服部２の内側に装着され、熱媒体６を封入する熱媒体収容袋５と、熱媒体収容袋５の衣服部２に接触する側に装着されるペルチエ素子１とを備え、衣服部２はペルチエ素子１に電流を供給するための電源を収容する電源収容部４を有し、熱媒体収容袋５には熱媒体６を循環させる流路５３が設けられ、ペルチエ素子１により冷却又は加熱された熱媒体６が流路５３を自然対流により循環しつつ、熱媒体収容袋５を介して身体に熱を伝達可能である。
【０００９】
ここにおいて、冷暖房服とは、冷房服若しくは暖房服又はこれら両者の機能を備える冷暖房服をいう。また、着用可能な衣服部とは、ベスト、ジャンパー等通常の衣服として着用可能なものであることを意味する。また、装着とはチャック、ボタン等により表面に取り付けること又は接着、融着等により表面に取り付けることを意味し、表面に現れるように貫通して取り付けることを含むが、衣服の内部に取り付けられ表面に現れない埋設は含まれない。また、ペルチエ素子は単体に限られず、複数でも良く、ユニットとして構成されていても良い。また、熱媒体として典型的には水が使用されるが、アルコール、水とアルコールの混合液を使用しても良い。また、電源としては、典型的には電池が使用されるが、商用電源をアダプターで直流に変換して使用しても良い。また、流路は１つの閉鎖的循環路に限られず、分流路を有していても良く、網状や格子状の循環路を構成しても良い。また、自然対流により循環するとは、熱媒体がポンプなどの外力により強制的に循環させられるものではなく、ペルチエ素子により生成される温度差に基づいて熱媒体に自然対流が発生し、これにより熱媒体が循環することをいう。また、熱媒体が身体に熱を伝達可能という表現には、熱媒体から身体に放熱する場合と熱媒体が身体から吸熱する場合とを含むものとする。このように構成すると、ペルチエ素子を利用する電子冷暖房服において、身体に接触する部分の温度差を少なくし、簡易な構成で運動性・作業性の良い冷暖房服を提供することができる。
【００１０】
また、請求項２に記載の発明は、請求項１に記載の電子冷暖房服において、例えば図２に示すように、熱媒体６として、水、エチルアルコール又はその混合液を用いる。このように構成すると、水及びエチルアルコールは熱伝導率が高く、比熱が高く、比重が低く、粘性の低い液体なので、熱媒体収容袋内をスムースに循環して熱を伝え、広い範囲を穏やかに冷却又は温熱する、かつ、軽量な電子冷暖房服を提供できる。
【００１１】
また、請求項３に記載の発明は、請求項１に記載の電子冷暖房服において、例えば図８に示すように、前記熱媒体収容袋５の内側又は外側の前記ペルチエ素子１に接触する部分にグラファイト製シート５７を有する。このように構成すると、グラファイトは熱伝導率が非常に高いので、熱媒体収容袋５内の広い範囲の熱媒体に早く熱を伝え、或は広い面積から外気に早く放熱するので、熱効率の良い電子冷暖房服を提供できる。
【００１２】
また、請求項４に記載の発明は、請求項１乃至請求項３のいずれか１項に記載の電子冷暖房服において、例えば図９に示すように、体温測定用の温度センサ７と、目標温度を設定し、温度センサ７で計測された体温と目標温度との差異に基づいてペルチエ素子１を制御する温度コントローラ８とを着脱可能に備える。このように構成すると、体温をモニタしながらペルチエ素子１を制御するので、安定な体温制御が可能となる。
【００１３】
また、請求項５に記載の熱媒体収容袋は、例えば図２に示すように、着用可能な衣服部２の内側に装着され、熱媒体６を封入する熱媒体収容袋５であって、衣服部２に接触する側にペルチエ素子１を装着し、熱媒体６を循環させる流路５５が設けられ、ペルチエ素子１により冷却又は加熱された熱媒体６を流路５５に自動的に循環させることにより、身体に熱を伝達可能である。このように構成すると、ペルチェ素子を利用する電子冷暖房服の熱媒体収容袋において、これを装着することにより、身体に接触する部分の温度差を少なくし、簡易な構成で運動性・作業性の良い冷暖房服を提供することができる。
【発明の効果】
【００１４】
本発明によれば、ペルチェ素子を利用する電子冷暖房服において、身体に接触する部分の温度差を少なくし、簡易な構成で運動性・作業性の良い冷暖房服を提供することができる。
【発明を実施するための最良の形態】
【００１５】
以下、本発明の実施の形態について図面に基づいて詳細に説明する。
【００１６】
［第１の実施の形態］
図１に本発明の第１の実施の形態におけるベスト型の電子冷暖房服１０の構成例を示す。図１（ａ）は正面図、図１（ｂ）は背面図を表す。図１において、１０は電子冷暖房服、１は電気エネルギーを熱エネルギーに変換するペルチエ素子、２は人間が着用可能な衣服部（ベスト、ジャンパー、スーツ、ズボン等をいう。２ａは胸側、２ｂは背中側を示す。）、４はペルチエ素子１に直流電流を供給するための電源及びその駆動回路を収容するための電源収容部、３はペルチエ素子１と電源を結ぶ配線、５は熱媒体６（図２参照）を封入するための熱媒体収容袋である。電源収容部４内には、ペルチエ素子１に電流を供給する電源及び、電源を駆動するための駆動回路が収容されている。本実施の形態では衣服部２はベストである。ペルチエ素子１として例えばＴｅ（テルル）−Ｓｂ（アンチモン）−Ｂｉ（ビスマス）系の化合物半導体、Ｔｅ（テルル）−Ｂｉ（ビスマス）−Ｓｅ（セレン）系の化合物半導体を使用できる。熱媒体６として水、エチルアルコール、又はその混合液等を使用でき、本実施の形態では熱伝導率が高く、比熱が高く、比重が低く、粘性の低い液体であり、さらに無毒、無臭で、安価、入手容易で取り扱いやすい水を使用する。
【００１７】
電熱媒体収容袋５（輪郭を破線で表示）は衣服部２の内側に装着され、図１ではベスト２の胸側に２箇所、背中側に２箇所合計４箇所としたが、装着箇所を増減可能である。ペルチエ素子１は熱媒体収容袋５の衣服部２側に装着され、利用目的と用途により、身体の冷却もしくは加熱すべき部位の近傍に来るように適切に配置されるが、図１では各熱媒体収容袋５に１個ずつ合計４個とし、冷房を重視してベスト２の胸及び背中の上部に配置した。ペルチエ素子１の能力は、例えば、８Ｖ、３００ｍＡの電圧、電流でペルチエ素子１の両側には約３０℃の温度差（例えば人体側１５〜２５℃、衣服部２側４５〜５５℃）が生じ、３時間継続使用可能である。ペルチエ素子１を複数配置する場合、各ペルチエ素子１に適切な電流を供給できるように配線３で直列・並列等適切な組み合わせに接続されるが、ここでは、ペルチエ素子１毎に個別に配線接続し、独立に温度制御できるようにした。ペルチエ素子に供給する電流は、例えば、測定した体温に基づいてフィードバック制御する、予めパラメータを設定された温度調節プログラムにより制御する等により駆動回路により制御される。なお、駆動回路に温度コントローラを接続してボタン入力でパラメータを設定したり、マニュアルで電流調整することも可能である。温度コントローラは例えば電源収容部４に収容される。これにより、例えば心臓に近い胸側は弱く、反対の背中側は強く冷房するなど、使用者の条件や好みに合わせて制御することが可能になる。電源として電池（充電池、２次電池を含む）や電源アダプタを介した商用電源を利用可能であり、いずれも駆動回路を介して適切に調整された電流を供給する。冷房の場合には、ペルチエ素子１は身体側（電熱媒体収容袋５の内側）の面が冷却側に、衣服部側（外気側ともいう、電熱媒体収容袋５の外側）の面が発熱側になるように配線３を介して電源の駆動回路と接続され、この結果、ベスト２を着用した利用者の胸、背中を広く適切に冷却することが可能となる。
【００１８】
図２及び図３に電熱媒体収容袋５の構成例を概略的に示す。図２は正面図、図３はそのＡ−Ａ’断面図である。電熱媒体収容袋５は塩化ビニールなど柔軟な素材からなる樹脂シート５１、５２を用い、液状の熱媒体６を内部に封入できるように２枚の樹脂シート５１、５２を重ねてその外周全体を接着又は融着して密封袋とし、衣服部２側の中央上部にペルチエ素子１を装着している。なお、２枚の樹脂シートのうち１枚の樹脂シートの上辺を折り曲げて蓋部とし、他の３辺で他のシート樹脂に接着又は融着し、蓋部は他のシートに嵌め込むようにして開閉可能な密封袋としても良い。ここでは前者の密封袋５内に熱媒体６としての水を封入している。
【００１９】
本実施の形態では冷却を重視して、密封袋５の衣服部２側の中央上部にペルチエ素子１を含む熱電変換ユニット２０が装着される。ペルチエ素子１は単品で使用することも可能であるが、通常はペルチエ素子１を主要部品とする熱電変換ユニット２０として構成される。熱電変換ユニット２０の基本構成例としてはペルチエ素子１の両側に熱媒体６又は外気に熱を伝えるための伝熱部材２１，２２が取り付けられ、また、ペルチエ素子１には電極が設けられ、電極には電源へつながる配線３が接続される。本実施の形態では伝熱部材として例えばＡｌ（アルミニウム）、Ａｌ合金、アルミナ（セラミックス）製等の放熱フィン２１、２２が取り付けられている。熱電変換ユニット２０は密封袋５の衣服部２側の樹脂シート５２を貫通して装着され、密封袋５内では放熱フィン２１が直接熱媒体６に接触して熱媒体６を冷却する。
【００２０】
また、熱電変換ユニット２０の衣服２側の放熱フィン２２は、熱を外気中に放出する。本例では電動ファン２３が放熱フィン２２に取り付けられて、熱の放出を促進している。外気側の樹脂シート５２にはネオプレンシート等の断熱部材５６が重ねられており、外気からの熱が熱媒体６に伝わるのを防いでいる。さらに夏季の強い熱線を遮断するためには、アルミ薄膜などの熱線を反射する部材を外側に重ねて使用することが好ましい。なお、内側の樹脂シート５１については身体への伝熱性能が高いことが好ましく、外側にＡｌ（アルミニウム）等の熱伝導率の高い材料を重ねて用いることが好ましい。
【００２１】
図２中の破線は隔壁５３の輪郭を示す。密封袋５の内部には、熱媒体６が上下方向に流れるように、周辺部を除く複数箇所で、上下方向に筋状に２枚の樹脂シート５１、５２を接着又は融着して隔壁５３を形成し、隔壁５３の間に流路５５を形成している。本実施の形態では熱媒体６をポンプ等で強制的に循環させるのではなく、ペルチエ素子１により生成される温度差に基づいて熱媒体６に自然対流が発生し、これにより熱媒体６が循環する。ペルチエ素子１に通電して熱媒体６が冷却されると、熱媒体６は収縮して比重が重くなって内側の流路５５ａを下降し、身体と熱交換して加温された後は比重が軽くなって外側の流路５５ｂを上昇し、これにより隔壁５３間に形成された流路５５を循環する。この循環により密封袋５内の熱媒体６全体の温度が均一化されると共に、穏やかに冷却され、その結果、密封袋５の身体に接触する各部の温度差が減少する。また、ペルチエ素子１の熱を直接身体へ伝えるのでなく、熱媒体６を介して広く伝えるので、身体の広い範囲を穏やかに冷却でき、利用者は快適に感じられるようになる。
【００２２】
なお、本実施の形態において、ペルチエ素子１の電極への配線３の接続を逆にすれば、電子冷暖房服を暖房に使用することが可能である。
【００２３】
以上のように、本実施の形態によれば、保冷材や加温材が保持されている部分とそうでない部分の温度差が大きいという従来の冷暖房服の欠点を解消し、衣服部２に装着したペルチエ素子１のペルチェ効果と熱媒体６の循環とを活用して、身体全体、あるいは身体の所定の部位を中心に穏やかに冷却あるいは加温することが出来る。すなわち、本実施の形態によれば、このように快適な冷却性能あるいは加温性能を有する冷暖房服を提供できる。また、ペルチエ素子１は適量の直流電流を通電しさえすれば、適切に冷却・加温することが出来るので、電池からあるいは商用電源から直流変換アダプタを介して希望する時間だけ電流を得て、冷却あるいは加温を持続することが出来る。さらに測定した体温をフィードバック制御する、予めパラメータを設定された温度調節プログラムにより制御する等により印加電圧を調整することにより、ペルチエ素子１の冷却あるいは加温能力を調整出来るので、利用者は多様な使用環境に応じて、適切な温度調整を選定出来る。また、利用者は使用環境に応じて、冷却或いは加温が必要な部位やその設定すべき温度に応じて、装着すべきペルチエ素子１の個数や配置を適宜選択して設計することにより、経済的に所望の冷暖房服を実現できる。また、重量のある保冷材や加温材を使用せず、これらを取り替える必要もなく、さらに、ヒートパイプやポンプも使用しないので、簡易な構成で運動性・作業性の良い冷暖房服を提供できる。
【００２４】
［第２の実施の形態］
第１の実施の形態では、熱媒体収容袋５に縦方向の流路５５を形成する例を説明したが、本実施の形態では、縦方向に加えて横方向にも流路を形成する例を示す。
【００２５】
図４に第２の実施の形態における電熱媒体収容袋５の構成例を概略的に示す。図２と同じ部位については同じ符号を用いて重複する説明を省略する。図２における流路５５の隔壁５３の途中に隣の流路とつながる開口部５４を設けて、熱媒体６が流路５５をまたいで横方向にも移動出来るようにしている。この場合における熱媒体６の移動は、ペルチエ素子１による冷却・加温により生じた熱媒体６の比重差によるだけでなく、利用者が体を動かすことによって生じる密封袋５内の圧力差によっても生じる。すなわち、利用者が体を動かすことで密封袋５も変形し、縦横に張り巡らされた複数の流路５５の夫々の部分に圧力差を生じ、その結果、熱媒体６の対流による循環に加え、袋内に密封された熱媒体６の高圧部分から低圧部分への移動を促進することになり、冷熱あるいは温熱の移動が促進されることになる。
【００２６】
なお、隔壁５３は封入する熱媒体６が厚くなるのを防ぐ役目もあるので、この点からは熱媒体６の循環を妨げない限り多数設けるのが好ましい。また、隔壁は線状に限られず、本実施の形態における横方向の流路をさらに多くして点状にしても良い。
流路以外の点については、第１の実施の形態と同様であり、同様の効果を奏する。
【００２７】
［第３の実施の形態］
第１の実施の形態ではベスト型で冷房を重視する例を説明したが、本実施の形態ではジャンパー型で暖房を重視する例を示す。
【００２８】
図５に第３の実施の形態における電子冷暖房服１０ａの構成例の正面図を示す。図１と同じ部位については同じ符号を用いて重複する説明を省略する。電熱媒体収容袋５（輪郭を破線で表示）は衣服部２の内側に装着され、本実施の形態ではジャンパー２（２ｃ）の腹側に２箇所、図示しないが背中側にも２箇所としたが、装着箇所を増減可能である。ペルチエ素子１は熱媒体収容袋５の衣服部２側に装着され、利用目的と用途により、身体の冷却もしくは加熱すべき部位の近傍に来るように適切に配置されるが、図５では各熱媒体収容袋５に１個ずつ合計４個とし、暖房を重視してジャンパー２ｃの腹側及び背中側の下部に配置した。また、ここでは、ペルチエ素子１毎に個別に配線接続し、独立に温度制御できるようにした。暖房の場合には、ペルチエ素子１は身体側（電熱媒体収容袋５の内側）の面が発熱側に、衣服部側（外気側、電熱媒体収容袋５の外側）の面が冷却側になるように配線３を介して電源と接続され、この結果、ジャンパー２ｃを着用した利用者の腹部、背中を広く適切に加温することが可能となる。また、熱電変換ユニット２０では外気側の放熱フィン２２は冷却側となり、電動ファン２３とその配線は省略可能である。なお、ペルチエ素子１の能力は、例えば、８Ｖ、３００ｍＡの電圧、電流でペルチエ素子１の両側には約３０℃の温度差（例えば人体側４５〜５５℃、衣服部２側１５〜２５℃）が生じ、３時間継続使用可能である。
【００２９】
図６に本実施の形態における電熱媒体収容袋の構成例の概略的な正面図を示す。ペルチエ素子１に通電して熱媒体６が加温されると、熱媒体６は膨張して比重が軽くなって内側の流路５５ａを上昇し、身体と熱交換して冷却された後は比重が重くなって外側の流路５５ｂを下降し、これにより隔壁５３間に形成された流路５５を循環する。この循環により密封袋５内の熱媒体６全体の温度が均一化されると共に、穏やかに加温され、その結果、密封袋５の身体に接触する各部の温度差が減少する。また、ペルチエ素子１の熱を直接身体へ伝えるのでなく、熱媒体６を介して広く伝えるので、身体の広い範囲を穏やかに加温でき、利用者は快適に感じられるようになる。
なお、本実施の形態において、ペルチエ素子１の電極への配線３の接続を逆にすれば、電子冷暖房服を冷房に使用することが可能である。衣服のタイプと冷暖房重視の差異以外は第１の実施の形態と同様であり、同様の効果を奏する。
【００３０】
〔第４の実施の形態〕
図７に第４の実施の形態における電子冷暖房服１０ｂの構成例の正面図を示す。図１、図５と同じ部位については同じ符号を用いて重複する説明を省略する。本実施の形態は第３の実施の形態における熱媒体収容袋５及びペルチエ素子１の数を増やし、冷暖房を共に重視する例を示す。熱媒体収容袋５は腹側と背中側に加えて、首筋に近い肩部に配置し、また、腹側と背中側の熱媒体収容袋５には脇に近い上部にもペルチエ素子１を配置して、血流が多く流れる首筋や脇下の付近も効果的に冷却・加温することが出来るようにしたものである。また、配線３は熱媒体収容袋５間に亘って直列・並列に接続可能であるが、本実施の形態では衣服部２を左右に分けて直列に接続している。この方式では、夏季において頚部動脈を冷却出来るので、夏の日照りの中で脳の温度が過度に上がることを防ぐ効果を期待できる。またペルチエ素子１の数を増やすことで一つのペルチエ素子１の寸法を小さく出来るので、重点的に冷却・加温する場所の近くに配置することが容易となる。
電熱媒体収容袋５及びペルチエ素子１の数、冷暖房重視、衣服のタイプ以外の点では、第１、第３の実施の形態と同様であり、これらの実施の形態と同様の効果を奏する。
【００３１】
〔第５の実施の形態〕
図８に第５の実施の形態における熱媒体収容袋５の構成例の断面図を概略的に示す。本実施の形態では第１の実施の形態における熱媒体収容袋５に、グラファイトなどの熱伝達率の大きな柔軟性のある放熱シート５７、５８を追加装着するものである。グラファイトの放熱シート５７、５８については断面を示しているが、平面的な広がりについては或る程度自由度がある。このような熱伝導率の大きな材料を放熱シート５７、５８に使用して熱を伝達することで熱媒体６への熱伝達が良くなるので、熱電変換素子ユニット２０において、熱媒体収容袋５の内部では放熱フィンを省略して厚みを薄くできる。なお、放熱フィンを併用しても良く、この場合には熱媒体への熱伝達の効率が高くなる。衣服部２側では放熱が広い面積で効果的に行われるので放熱フィン２２や電動ファン２３を併用する場合でも、これらを小型にすることが出来る。なお、放熱フィンや電動ファンを省略することも可能である。
放熱シート５７，５８の追加及び熱電変換素子ユニット２０の構成以外の点では第１の実施の形態と同様であり、同様の効果を奏する。
【００３２】
〔第６の実施の形態〕
図９に第６の実施の形態における電子冷暖房服１０ｃの左側胸部を半ば開いた例の正面図を示す。図において、電子冷暖房服１０ｃの内側に体温測定用の温度センサ７及び温度コントローラ８が着脱可能に装着されている。温度コントローラ８はウェアラブルコンピュータで構成され、例えば携帯電話機程度の大きさであり、電子冷暖房服１０の内側に設けられたポケット内に或は電源収容部４内に収容可能である。温度コントローラ８は、電源収容部４内の電源から配線３ｂにより電力の供給を受け、配線３、３ｂを介してペルチエ素子１の制御を行なう。また、温度コントローラ８ではボタン入力により目標温度を設定でき、体温測定用の温度センサ７から配線３ａを通して計測された体温データを取得し、設定された目標温度との差異に基づいてペルチエ素子１に流す電流を制御し、出力温度差を制御する。これにより、計測体温が目標温度に近づき或は一定値を保持するようにペルチエ素子１を制御する。温度センサ７として例えば熱電対やサーミスタを利用した貼り付けタイプの温度センサを使用可能である。本実施の形態によれば、体温をモニタしながらペルチエ素子１を制御するので、安定な体温制御が可能となる。なお、貼り付けタイプの温度センサを直接身体に貼り付け、温度コントローラ８は近距離無線通信を介して温度センサから体温データを取得するようにしても良い。
【００３３】
以上、本発明の実施の形態について説明したが、本発明は上記の実施の形態に限定されるものではなく、実施の形態に種々変更を加えられることは明白である。
【００３４】
例えば、以上の実施の形態では衣服部がベストやジャンパーである例を説明したが、スーツでも良く、ズボンにペルチエ素子を装着して腰周りを冷暖房しても良く、また、帽子や手袋に装着する場合には別途装着するスーツやジャンパーから配線を引き出し接続しても良い。また、以上の実施の形態では１つの熱媒体収容袋に連続した１つの流路が形成される例を説明したが、例えば図６の熱媒体収容袋を実質的に上下に仕切るような隔壁を形成し、２つのペルチエ素子を用いて、ペルチエ素子ごとに熱媒体が循環する流路を形成しても良い。また、以上の実施の形態では１つの熱電変換素子ユニットに夫々１つのペルチエ素子を配置する例を説明したが、複数の小寸法のペルチエ素子を配置し、電源への配線や放熱フィンなどを共用しても良い。また、電源収納部には全体で１つの電源を収納し、全ての熱電変換ユニットに電流を供給しても良く、複数の電源を収納し夫々の熱電変換ユニット群に分けて電流を供給しても良く、熱電変換ユニット毎に電源を対応させても良い。その他、熱媒体の種類、ペルチエ素子の寸法、電源電圧などは利用目的、用途に応じて適宜変更可能である。
【産業上の利用可能性】
【００３５】
本発明は、外気温や体温変化に対する感度が低い無痛無汗症の人や無汗症、低汗症の人の冷暖房服、また製鉄所や造船所などの高温環境下の冷房服、冷凍倉庫や寒冷地の野外作業での暖房服、さらにはレジャー用の冷暖房服などに利用できる。
【図面の簡単な説明】
【００３６】
【図１】第１実施の形態におけるベスト型の電子冷暖房服の構成例を示す図である。
【図２】第１実施の形態における電熱媒体収容袋の構成例の概略的な正面図である。
【図３】第１実施の形態における電熱媒体収容袋の構成例の概略的な断面図である。
【図４】第２の実施の形態における電熱媒体収容袋の構成例を概略的に示す図である。
【図５】第３の実施形態における電子冷暖房服の構成例の正面図である。
【図６】第３の実施形態における電熱媒体収容袋の構成例の概略的な正面図である。
【図７】第４の実施形態における電子冷暖房服の構成例の正面図である。
【図８】第５の実施の形態における熱媒体収容袋の構成例の概略的な断面図である。
【図９】第６の実施の形態における電子冷暖房服の左側胸部を半ば開いた例の正面図である。
【符号の説明】
【００３７】
１    ペルチエ素子    
２    衣服部
３、３ａ、３ｂ  配線
４    電源収容部
５    熱媒体収容袋
６    熱媒体
７    温度センサ
８    温度コントローラ
１０、１０ａ、１０ｂ、１０ｃ  電子冷暖房服
２０  熱電変換素子ユニット
２１、２２  放熱フィン
２３  電動ファン
５１、５２  樹脂シート
５３  隔壁
５４  開口部
５５、５５ａ、５５ｂ  流路
５６  断熱部材
５７、５８  放熱シート
【図１】
2008025052.tif 000003
【図２】
2008025052.tif 000004
【図３】
2008025052.tif 000005
【図４】
2008025052.tif 000006
【図５】
2008025052.tif 000007
【図６】
2008025052.tif 000008
【図７】
2008025052.tif 000009
【図８】
2008025052.tif 000010
【図９】
2008025052.tif 000011